(57)【特許請求の範囲】
【請求項１】
受信したWDM信号の信号光を波長単位で選択して出力方路側、又は分岐側へ出力する方路切替用1xN1  WSSと、前記方路切替用1xN1  WSSから分岐されたWDM信号を受信するトランスポンダに接続するヒットレス機能を有しない波長割当用1xN2  WSSとを有する光ノードを受信光ノードとして備えた光ノードシステムにおける光パス設定方法であって、
送信光ノードから前記受信光ノードへの光パスを設定する際に、前記波長割当用1xN2  WSSの設定を行った後に、前記方路切替用1xN1  WSSの設定を行う、又は
前記光パスを削除する際に、前記方路切替用1xN1  WSSの設定を行った後に、前記波長割当用1xN2  WSSの設定を行うことを特徴とする光パス設定方法。
【請求項２】
他の光ノードから受信したWDM信号から波長単位で次の光ノードに送信する光パス信号を選択し、且つ、選択した光パス信号と、挿入する光パス信号とを合波する方路切替用  N1x1  WSSと、他の光ノードから受信したWDM信号の信号光を波長単位で受信するトランスポンダに接続するヒットレス機能の無い波長割当用1xN2  WSSとを有する光ノードを、受信光ノード及び上流の光ノードとして備えた光ノードシステムにおける光パス設定方法であって、
送信光ノードから前記受信光ノードへの光パスを設定する際に、前記受信光ノードにおける前記波長割当用1xN2  WSS  の設定を行った後に、前記上流の光ノードの前記方路切替用N1x1  WSSの設定を行う、又は
前記光パスを削除する際に、前記上流の光ノードの前記方路切替用1xN1  WSSの設定を行った後に、前記受信光ノードにおける前記波長割当用1xN2  WSSの設定を行うことを特徴とする光パス設定方法。
【請求項３】
他の光ノードから受信したWDM信号から波長単位で次の光ノードに送信する光パス信号を選択し、且つ、選択した光パス信号と、挿入する光パス信号とを合波する方路切替用  N1x1  WSSと、他の光ノードから受信したWDM信号の信号光を波長単位で受信するトランスポンダに接続するヒットレス機能の無い波長割当用1xN2  WSSとを有する光ノードを、受信光ノード及び上流の光ノードとして備えた光ノードシステムにおける光パス設定方法であって、
送信光ノードから前記受信光ノードへの光パスを設定する場合、又は、当該光パスを削除する場合において、前記受信光ノードにおける前記波長割当用1xN2  WSSの設定を行う前に、光パス信号を下流に送出しないように、前記上流の光ノードの前記方路切替用N1x1  WSSをシャットダウン状態にする設定を行うことを特徴とする光パス設定方法。
【請求項４】
他の光ノードから受信したWDM信号から波長単位で次の光ノードに送信する光パス信号を選択し、且つ、選択した光パス信号と、挿入する光パス信号とを合波する方路切替用  N1x1  WSSと、他の光ノードから受信したWDM信号の信号光を波長単位で受信するトランスポンダに接続するヒットレス機能の無い波長割当用1xN2  WSSとを有する光ノードを、受信光ノード及び上流の光ノードとして備えた光ノードシステムにおける光パス設定方法であって、
送信光ノードから前記受信光ノードへの光パスを設定する際に、当該受信光ノードにおける前記波長割当用1xN2  WSSの設定を行った後に、前記送信光ノードにおけるトランスポンダの発光を行う、又は
前記光パスを削除する際に、前記送信光ノードにおけるトランスポンダの消光を行った後、前記受信光ノードにおける前記波長割当用1xN2  WSSの設定を行うことを特徴とする光パス設定方法。
【請求項５】
受信したWDM信号の信号光を波長単位で選択して出力方路側、又は、分岐側へ出力するヒットレス機能の無い方路切替用1xN3  WSSを有する光ノードを、受信光ノード及び上流の光ノードとして備えた光ノードシステムにおける光パス設定方法であって、
送信光ノードから前記受信光ノードへの光パスを設定する際に、前記受信光ノードにおける前記方路切替用1xN3  WSSの設定を行った後に、前記上流の光ノードにおける前記方路切替用1xN3  WSSの設定、又は、前記送信光ノードにおけるトランスポンダの発光を行う、又は
前記光パスを削除する際に、前記受信光ノードにおける前記方路切替用1xN3  WSSの設定を行う前に、前記上流の光ノードの前記方路切替用1xN3  WSSの設定、又は、前記送信光ノードにおけるトランスポンダの消光を行うことを特徴とする光パス設定方法。
【請求項６】
前記光パス設定方法において、
前記波長割当用1xN2  WSSの設定を行う前に、当該波長割当用1xN2  WSSの入力における光パス信号の有無をモニタを用いて確認し、当該モニタにおいて光パス信号がないことを確認した後に、前記波長割当用1xN2  WSSの設定を行うことを特徴とする請求項1ないし４のうちいずれか1項に記載の光パス設定方法。
【請求項７】
前記光パス設定方法において、
前記方路切替用1xN3  WSSの設定を行う前に、前記方路切替用1xN3  WSSの入力における光パス信号の有無をモニタを用いて確認し、当該モニタにおいて光パス信号がないことを確認した後に、前記方路切替用1xN3  WSSの設定を行うことを特徴とする請求項５に記載の光パス設定方法。
【請求項８】
前記光パス設定方法において、
前記波長割当用1xN2  WSSの出力ポートの１つに光パワーを測定するモニタを接続し、
前記光パスの設定時において、前記波長割当用1xN2  WSSの設定を行う前に、設定対象である光パス信号の波長の接続先を、前記モニタに接続されている前記出力ポートに設定して、当該モニタにより光パス信号が無いことを確認した後、前記波長割当用1xN2  WSSの設定を行うことを特徴とする請求項1ないし４のうちいずれか1項に記載の光パス設定方法。
【請求項９】
前記光パス設定方法において、
前記方路切替用1xN3  WSSの出力ポートの１つに光パワーを測定するモニタを接続し、
前記光パスの設定時において、前記方路切替用1xN3  WSSの設定を行う前に、設定対象である光パス信号の波長の接続先を、前記モニタに接続されている前記出力ポートに設定して、当該モニタにより光パス信号が無いことを確認した後、前記方路切替用1xN3  WSSの設定を行うことを特徴とする請求項５に記載の光パス設定方法。
【請求項１０】
前記光パス設定方法において、
前記光パスの削除時において、前記波長割当用1xN2  WSSの設定を行う前に、前記受信光ノードのトランスポンダにおいて光パス信号が無いことを確認した後、前記波長割当用1xN2  WSSの設定を行うことを特徴とする請求項1ないし４のうちいずれか1項に記載の光パス設定方法。
【請求項１１】
前記光パス設定方法において、
前記光パスの削除時において、前記方路切替用1xN3  WSSの設定を行う前に、前記受信光ノードのトランスポンダにおいて光パス信号が無いことを確認した後、前記方路切替用1xN3  WSSの設定を行うことを特徴とする請求項５に記載の光パス設定方法。
【発明の詳細な説明】
【技術分野】
【０００１】
本発明は、複数のROADMノードにより構成されるフォトニックNWにおける光パス設定方法に関するものである。
【背景技術】
【０００２】
図１に、従来のフォトニックＮＷの構成例を示す。図１に示すように、フォトニックNWは、複数の光ノード、光ノード間を接続する光ファイバ、及び、ＮＷ内の光ノードを管理制御するＮＷ管理制御装置で構成される。
【０００３】
フォトニックＮＷを介してクライアント信号を転送する場合には、信号を送信する光ノードにてクライアント信号を光信号に変換して、変換した光信号を、上記送信する光ノードから、光信号を受信する光ノードまで電気に変換することなく転送して、当該受信する光ノードにて光信号からクライアントの信号に変換する。この際、送信光ノードから受信光ノードまでの光信号の経路を光パスと呼び、光信号を光パス信号と呼ぶ。
【０００４】
図１のフォトニックNWでは光ノードにROADM（Reconfigurable Optical Add/Drop Multiplexer）ノードを用いている。ROADMノードは、隣接したROADMノードから転送された波長多重信号(WDM信号)から、波長単位で光パス信号の分岐・挿入を行い、別の隣接したROADMノードに波長多重信号を転送できるノードである。ROADMノードには、2つの隣接したROADMノードと接続できる2-degree ROADM と、3つ以上の隣接したROADMノードと接続できるMulti-degree ROADM があり、これらのROADMノードにより、リングNW、マルチリングNW、メッシュNWを構築することができる。なお、2-degree ROADM、Multi-degree ROADM等におけるdegree とは方路数の意味であり、当該 ROADMノードが接続できる隣接したROADMノードの数に相当する。
【０００５】
図２に、従来のMulti-degree ROADMノード１０の構成例を示す。図２に示すように、このMulti-degree ROADMノード１０は、隣接ノードに送信する、又は、隣接ノードから受信したWDM信号を増幅する光アンプ１と、クライアント信号を光パス信号に変換して送信、及び、光パス信号を受信してクライアント信号に変換するトランスポンダ２と、光パス信号の経路を切替える手段で構成される。
【０００６】
図２に示す構成例では、光パス信号の経路を切替える手段として、光カプラ３、1x9 WSS４、及び、9x1 WSS５を用いている。ここでWSS(Wavelength Selective Switch：波長選択スイッチ)とは、各入出力ポートにおいてWDM信号を入出力して、スイッチ内では波長単位で入力又は出力ポートを選択することができるスイッチである。入力1ポート出力9ポートのWSSが1x9 WSS であり、入力9ポート出力1ポートのWSSが9x1 WSS である。
【０００７】
図２に示す構成例では、トランスポンダ２において任意の波長の光パス信号を送受信できるカラーレス機能を備えている。なお、光ノードの構成としては、図２に示す構成のほか、カラーレス機能の無いROADMノードや、2-degree のROADMノードが報告されている。
【先行技術文献】
【非特許文献】
【０００８】
【非特許文献１】E. Bert. Basch, et.al, "Architectural Tradeoffs for Reconfigurable Dense Wavelength-Division Multiplexing Systems", IEEE J. of selected topics in Quantum electronics. Vol. 12 , No.4, JULY/AUGUST 2006
【非特許文献２】Y. Ishii. et.al, "MEMS-based 1x43 Wavelength-Selective Switch with Flat Passband",35th European Conference on Optical communication proceeding", PD1-9, September, 2009
【発明の概要】
【発明が解決しようとする課題】
【０００９】
フォトニックNWでは、通常、C-band帯、又は、L-band帯において100GHz間隔、50GHz間隔で波長を配置するので、波長多重数としては40程度、又は、80程度となる。しかしながら、図２の構成では、トランスポンダ２と接続される波長割当用のWSSとして９ポートのWSSを使用しているため、１つの方路につき9波の光パス信号しか分岐・挿入できず、全波長分の光パス信号を分岐挿入することができない。全波長分の光パス信号を分岐挿入するには、現状9ポートあるWSS のポート数を増やすことが必要となるが、WSSのポート数を増やす試みとしてポート数を40程度に増やしたWSSが報告されている。(非特許文献2)
しかしながら、この40ポート級のWSSを図２の構成に適用すると、以下の課題が発生する。通常、1x9 WSS、9x1 WSS にはポート切替時に他のポートに信号が漏れこまないヒットレス機能を有している。しかしながら、非特許文献２に示されるWSSのような40ポート級のWSS になると、ヒットレス機能を設けると新たな部品が必要となりコストも高くなる。この為、コスト上、ヒットレス機能を有しないことが望ましいが、このヒットレス機能を有しない40ポート級のWSSを用いて光ノードを実現すると、光パス開通時、及び、削除時において、WSS設定時に他のポートに信号が漏れこみ、他の光パス信号に対して影響を及ぼす。
【００１０】
本発明は、このような課題に鑑みてなされたものであり、フォトニックNWを構成する光ノードにおいて、新たな部品を加えずコスト上昇を抑えながら、ヒットレス機能の無いWSSを用いても、光パス開通時、削除時に他の光パス信号に影響を与えない光パス設定方法を提供することを目的とする。
【課題を解決するための手段】
【００１１】
上記の課題を解決するために、本発明は、受信したWDM信号の信号光を波長単位で選択して出力方路側、又は分岐側へ出力する方路切替用1xN1 WSSと、前記方路切替用1xN1 WSSから分岐されたWDM信号を受信するトランスポンダに接続するヒットレス機能を有しない波長割当用1xN2 WSSとを有する光ノードを受信光ノードとして備えた光ノードシステムにおける光パス設定方法であって、送信光ノードから前記受信光ノードへの光パスを設定する際に、前記波長割当用1xN2 WSSの設定を行った後に、前記方路切替用1xN1 WSSの設定を行う、又は、前記光パスを削除する際に、前記方路切替用1xN1 WSSの設定を行った後に、前記波長割当用1xN2 WSSの設定を行うことを特徴とする光パス設定方法として構成される。
【００１２】
また、本発明は、他の光ノードから受信したWDM信号から波長単位で次の光ノードに送信する光パス信号を選択し、且つ、選択した光パス信号と、挿入する光パス信号とを合波する方路切替用 N1x1 WSSと、他の光ノードから受信したWDM信号の信号光を波長単位で受信するトランスポンダに接続するヒットレス機能の無い波長割当用1xN2 WSSとを有する光ノードを、受信光ノード及び上流の光ノードとして備えた光ノードシステムにおける光パス設定方法であって、送信光ノードから前記受信光ノードへの光パスを設定する際に、前記受信光ノードにおける前記波長割当用1xN2 WSS の設定を行った後に、前記上流の光ノードの前記方路切替用N1x1 WSSの設定を行う、又は、前記光パスを削除する際に、前記上流の光ノードの前記方路切替用1xN1 WSSの設定を行った後に、前記受信光ノードにおける前記波長割当用1xN2 WSSの設定を行うことを特徴とする光パス設定方法として構成してもよい。
【００１３】
また、本発明は、他の光ノードから受信したWDM信号から波長単位で次の光ノードに送信する光パス信号を選択し、且つ、選択した光パス信号と、挿入する光パス信号とを合波する方路切替用  N1x1  WSSと、他の光ノードから受信したWDM信号の信号光を波長単位で受信するトランスポンダに接続するヒットレス機能の無い波長割当用1xN2  WSSとを有する光ノードを、受信光ノード及び上流の光ノードとして備えた光ノードシステムにおける光パス設定方法であって、送信光ノードから前記受信光ノードへの光パスを設定する場合、又は、当該光パスを削除する場合において、前記受信光ノードにおける前記波長割当用  1xN2  WSSの設定を行う前に、光パス信号を下流に送出しないように、前記上流の光ノードの前記方路切替用N1x1  WSSをシャットダウン状態にする設定を行うことを特徴とする光パス設定方法として構成することもできる。
【００１４】
また、本発明は、他の光ノードから受信したWDM信号から波長単位で次の光ノードに送信する光パス信号を選択し、且つ、選択した光パス信号と、挿入する光パス信号とを合波する方路切替用 N1x1 WSSと、他の光ノードから受信したWDM信号の信号光を波長単位で受信するトランスポンダに接続するヒットレス機能の無い波長割当用1xN2 WSSとを有する光ノードを、受信光ノード及び上流の光ノードとして備えた光ノードシステムにおける光パス設定方法であって、送信光ノードから前記受信光ノードへの光パスを設定する際に、当該受信光ノードにおける前記波長割当用1xN2 WSSの設定を行った後に、前記送信光ノードにおけるトランスポンダの発光を行う、又は、前記光パスを削除する際に、前記送信光ノードにおけるトランスポンダの消光を行った後、前記受信光ノードにおける前記波長割当用1xN2 WSSの設定を行うことを特徴とする光パス設定方法としてもよい。
【００１５】
また、本発明は、受信したWDM信号の信号光を波長単位で選択して出力方路側、又は、分岐側へ出力するヒットレス機能の無い方路切替用1xN3  WSSを有する光ノードを、受信光ノード及び上流の光ノードとして備えた光ノードシステムにおける光パス設定方法であって、送信光ノードから前記受信光ノードへの光パスを設定する際に、前記受信光ノードにおける前記方路切替用1xN3  WSSの設定を行った後に、前記上流の光ノードにおける前記方路切替用1xN3  WSSの設定、又は、前記送信光ノードにおけるトランスポンダの発光を行う、又は前記光パスを削除する際に、前記受信光ノードにおける前記方路切替用1xN3  WSSの設定を行う前に、前記上流の光ノードの前記方路切替用1xN3  WSSの設定、又は、前記送信光ノードにおけるトランスポンダの消光を行うことを特徴とする光パス設定方法として構成することもできる。
【００１６】
上記各光パス設定方法において、前記波長割当用1xN2 WSS、又は、前記方路切替用1xN3 WSSの設定を行う前に、当該波長割当用 1xN2 WSS、又は、前記方路切替用1xN3 WSSの入力における光パス信号の有無をモニタを用いて確認し、当該モニタにおいて光パス信号がないことを確認した後に、前記波長割当用1xN2 WSS、又は、前記方路切替用1xN3 WSSの設定を行うようにしてもよい。
【００１７】
また、上記各光パス設定方法において、前記波長割当用1xN2 WSS、又は、前記方路切替用1xN3 WSSの出力ポートの１つに光パワーを測定するモニタを接続し、前記光パスの設定時において、前記波長割当用1xN2 WSS、又は、前記方路切替用1xN3 WSSの設定を行う前に、設定対象である光パス信号の波長の接続先を、前記モニタに接続されている前記出力ポートに設定して、当該モニタにより光パス信号が無いことを確認した後、前記波長割当用1xN2 WSS、又は、前記方路切替用1xN3 WSSの設定を行うこととしてもよい。
【００１８】
また、上記各光パス設定方法において、前記光パスの削除時において、前記波長割当用1xN2  WSS、又は、前記方路切替用1xN3  WSSの設定を行う前に、前記受信光ノードのトランスポンダにおいて光パス信号が無いことを確認した後、前記波長割当用1xN2  WSS、又は、前記方路切替用1xN3  WSSの設定を行うようにしてもよい。
【発明の効果】
【００１９】
本発明によれば、フォトニックNWを構成する光ノードにおいて、新たな部品を加えずコスト上昇を抑えながら、ヒットレス機能の無いWSSを用いても、光パス開通時、削除時に他の光パス信号に影響を与えない光パス設定方法を実現できる。
【図面の簡単な説明】
【００２０】
【図１】従来のフォトニックNWの構成例を示す図である。
【図２】従来のMulti-degree ROADMノード１０の構成例を示す図である。
【図３】実施例１等で使用される光ノード１００の構成例を示す図である。
【図４】実施例１における光パス開通手順を示す図である。
【図５】実施例１における光パス削除手順を示す図である。
【図６】実施例２における光ノード２００の構成例を示す図である。
【図７】実施例２における光パス開通手順を示す図である。
【図８】実施例２における光パス削除手順を示す図である。
【図９】実施例３等で用いる光ノード３００の構成例を示す図である。
【図１０】実施例３等で用いる光ノード３００の構成例を示す図である。
【図１１】実施例３における光パス開通手順を示す図である。
【図１２】実施例３における光パス削除手順を示す図である。
【図１３】実施例４における光パス開通手順を示す図である。
【図１４】実施例４における光パス削除手順を示す図である。
【図１５】実施例５における光パス開通手順を示す図である。
【図１６】実施例５における光パス削除手順を示す図である。
【図１７】実施例６における光ノード４００の構成例を示す図である。
【図１８】実施例６における光ノード４００の構成例を示す図である。
【図１９】実施例６における光パス開通手順を示す図である。
【図２０】実施例６における光パス削除手順を示す図である。
【図２１】実施例７における光ノード５００の構成例を示す図である。
【図２２】実施例７における光パス開通手順を示す図である。
【図２３】実施例７における光パス削除手順を示す図である。
【図２４】実施例７における光ノード６００の構成例を示す図である。
【発明を実施するための形態】
【００２１】
以下、図面を参照して、本発明の実施の形態である実施例１〜７を説明する。
【００２２】
（実施例1）
図３は、実施例１等で使用される光ノード１００の構成例を示す図であり、方路数Mのカラーレス機能を有する光ノード１００の構成を示している。同図に示すように、光ノード１００は、光アンプ１０１、方路切替用1 x N1 WSS１０２、方路切替用 N1 x 1 WSS１０３、波長割当用1xN2 WSS１０４、波長割当用N2 x 1 WSS１０５、トランスポンダ１０６、及びOCM（Optical Channel Monitor）１０７を有する。
【００２３】
尚、光ノード１００において、方路切替用N1 x 1 WSS１０３の代わりに光カプラ等の光合波器、波長割当用 N2 x 1 WSS１０５の代わりに光カプラ等の光合波器を用いても良い。ここで、N1 として必要なポート数は概ね方路数であるが、N2 として必要なポート数は分岐挿入を行う波長数となり、全波長数分の分岐挿入を行えるようにするには波長多重数分必要となる。本実施の形態では、波長多重数は、例えば40程度より大きい数を想定しており、波長割当用1xN2 WSS、波長割当用 N2x1 WSS にヒットレス機能の無いWSSを用いている。
【００２４】
図３に記載の構成を持つ光ノード１００を複数接続することによりフォトニックNWを構築した場合の、光パスの開通手順を図４に示す。本実施例におけるフォトニックNWでは、図１に示したように、NW管理制御装置が各光ノードに接続されており、各光ノードは、NW管理制御装置からの光パス設定制御信号に基づいて、光パス設定のための処理を行っている。このように、NW管理制御装置からの光パス設定制御信号に基づいて、各光ノードが光パス設定のための処理を行うことは他の実施例でも同様である。
【００２５】
ただし、本発明の光パス設定方法は、NW管理制御装置を用いた遠隔の光パス設定のみでなく、例えば、光ノードに対して直接に操作を行って光パス設定を行う場合にも適用できるものであり、本発明の光パス設定方法は、設定のための作業形態に依存しない。
【００２６】
また、図４には、中継ノードが１つだけ示されているが、複数の中継ノードがある場合でも、各中継ノードに対して同様の設定制御が行われる。他の実施例でも、特にどの中継ノードかを述べていない限り、同様である。
【００２７】
また、各実施例の各手順において、光ノードに備えられている複数のトランスポンダやWSSのうちのどのトランスポンダやWSSを設定するかは、光パス設計において定められており、その情報はNW管理制御装置から送られる光パス設定の制御信号に含まれるものとし、各手順では、制御信号で指定された特定のトランスポンダやWSSの設定が行われるものである。
【００２８】
更に、図中の各ステップの手順に付されたＡ、Ｂなどの符号は、各実施例において対応するステップを分かりやすくするために付した符号である。
【００２９】
さて、光パス開通の際には、基本的には上流側のWSSから設定する(送信側から受信側に向けて順番に設定する)ことが望ましい。これは、WSSでは出力光信号のパワーをモニタしながら一定のレベルに出力レベルを調整する負帰還制御がかかっているためであり、下流側のWSSを設定した後、上流側のWSSを設定すると、上流側のWSSを設定した際に下流側のWSSの負帰還制御が安定に動作しない為である。従って、送信ノード及び中継ノードでは、次の手順で設定が行われる。
【００３０】
ステップ１）（送信ノード）トランスポンダ１０６を発光させる。
【００３１】
ステップ２）（送信ノード）波長割当用 N2x1 WSS１０５に対し、光パス信号を挿入（Add)するための設定を行う。
【００３２】
ステップ３）（送信ノード）方路切替用N1 x 1 WSS１０３に対し、光パス信号を挿入（Add)するための設定を行う。
【００３３】
ステップ４）（中継ノード）方路切替用1 x N1 WSS１０２に対し、光パス信号のスルー設定を行う。
【００３４】
ステップ５）（中継ノード）方路切替用N1 x 1 WSS１０３に対し、光パス信号のスルー設定を行う。
送信ノードにおいて、波長割当用 N2x1 WSS１０５（ヒットレス機能を有していない）の設定については、設定する光パスの信号が入力されている状態で設定しても他の光パスには影響を与えず、基本的にトランスポンダ１０６に近いWSSから設定していくことで良い。これは、波長割当用 N2x1 WSS１０５に入力されている他の光パス信号は全て別の波長であり、設定する光パス信号は方路切替用N1 x 1 WSS１０３によって切断状態となっている為、他の光パス信号に影響を与えないからである。
【００３５】
しかしながら、受信ノードにおいては、波長割当用 1xN2 WSS１０４(ヒットレス機能を有していない)の設定については、設定する光パスの信号を入力した状態のままWSSの設定を行うと、他の出力ポートに漏れた光パス信号がトランスポンダ１０６に入力される為、他の光パス信号に対して影響を及ぼす。そのため、図４に示すとおり、受信ノードでは、以下の手順で光パス設定がなされる。
【００３６】
ステップ６）（受信ノード）波長割当用1xN2 WSS１０４の入力に光パス信号が無いことを確認する。
【００３７】
すなわち、ステップ６では、波長割当用 1xN2 WSS１０４を設定して良い状態か否か、WSS入力において確かめる。確かめる方法としては、WSS入力端では波長多重信号である為、光チャネルモニタ１０７(OCM)により、該当する波長の光パス信号の有無を確認する。
【００３８】
ステップ７）（受信ノード）ステップ６において、該当する波長の光パス信号が無ければ、波長割当用1xN2 WSS１０４に対し、光パス信号を分岐(Drop)させるための設定を行う。つまり、受信した波長多重信号から、該当する波長の光パス信号を選択して、目的の出力ポートに出力させるための設定を行う。この際、負帰還制御は行わない。
【００３９】
ステップ８）（受信ノード）ステップ７において、波長割当用1xN2 WSS１０４の設定が完了した後、方路切替用1xN1 WSS１０２の分岐（Drop)設定を行う。
【００４０】
ステップ９）（受信ノード）最後に、トランスポンダ１０６において光を受信しているか否かを確認する。
【００４１】
尚、各光ノードにおいて、方路切替用 N1 x 1 WSS１０３の代わりに光合波器を用いている場合はステップ３、５を省略でき、波長割当用 N2 x 1 WSS１０５の代わりに光合波器を用いている場合はステップ２を省略できる。
【００４２】
ここで、WSSの負帰還制御の安定性について説明する。図４に示した受信ノードでの手順において、下流側のWSSの設定の後に上流側のWSS を設定しているが、本実施例では、設定する上流側のWSSの下流にあるWSSは１台だけのため出力レベル調整の負帰還制御の不安定動作が発生しにくく、本手順は、負帰還制御の安定性にも優れている手順である。
【００４３】
次に、光パスを削除する際の手順を図５に示す。光パス削除の際には、基本的には下流側のWSSから設定する(受信側から送信側に向けて順番に設定する)ことが望ましい。これは、上流側からWSSを設定すると、下流のWSSの負帰還制御が安定に動作しない為である。ただし、他の光パス信号に影響を与えることを避けるために、受信ノードでの光パス削除は以下の手順で行われる。
【００４４】
ステップ１）（受信ノード）まず、波長割当用1xN2 WSS１０４に入力される光パス信号を切断する為、方路切替用1xN1 WSS１０２に対し、当該光パス信号のDrop設定の削除を行う。
【００４５】
ステップ２）（受信ノード）波長割当用1xN2 WSS１０４の入力に光パス信号が無いことを確認する。すなわち、光パス設定時のステップ７と同様に、OCM１０７等により、該当する光パス信号が入力されていないことを確認する。
【００４６】
ステップ３）（受信ノード）ステップ２で該当する光パス信号が無ければ、波長割当用1xN2 WSS１０４におけるDrop 設定の削除を行う。
【００４７】
続いて、中継ノード及び送信ノードにおいて、以下の手順で光パス削除が行われる。
【００４８】
ステップ４）（中継ノード）方路切替用N1 x 1 WSS１０３に対し、光パス信号のスルー設定削除を行う。
【００４９】
ステップ５）（中継ノード）方路切替用1 x N1 WSS１０２に対し、光パス信号のスルー設定削除を行う。
【００５０】
ステップ６）（送信ノード）方路切替用N1 x 1 WSS１０３に対し、光パス信号のAdd設定削除を行う。
【００５１】
ステップ７）（送信ノード）波長割当用 N2x1 WSS１０５に対し、光パス信号のAdd設定削除を行う。
【００５２】
ステップ８）（送信ノード）トランスポンダ１０６を消光する。
【００５３】
尚、方路切替用 N1 x 1 WSS１０３の代わりに光合波器を用いている場合はステップ４、６を省略でき、波長割当用 N2 x 1 WSS１０５の代わりに光合波器を用いている場合はステップ７を省略できる。
【００５４】
ここで、WSSの負帰還制御の安定性について説明する。受信ノードにおいて、上流側のWSSの設定削除の後に上流側のWSS の設定削除を行っているが、設定削除する上流側のWSSの下流にあるWSSは１台だけのため出力レベル調整の負帰還制御の不安定動作が発生しにくく、本手順は、負帰還制御の安定性にも優れている手順である。
【００５５】
また、送信ノードにおいては、図５に示すとおり、下流側の方路切替用N1 x 1 WSS１０３の削除設定をした後、波長割当用 N2x1 WSS１０５の削除設定を行うことで良い。この理由は、波長割当用N2x1 WSS１０５を光パス信号が入力されたまま設定しても、下流の方路切替用 N1x1 WSS１０３の設定が切断状態になっている為、他の光パス信号に対して影響を与えない為である。
【００５６】
以上のように、図３に記載のように、方路切替用1xN1 WSS１０２とヒットレス機能の無い波長割当用1xN2 WSS１０４で構成されている光ノードを接続したシステム（フォトニックネットワーク）の受信ノードにおいて、光パス設定時には、光パス波長割当用1xN2 WSS１０４の設定を行った後に、方路切替用1xN1 WSS１０２の設定を行い、光パス削除時には、方路切替用1xN1 WSS１０２の設定を行った後に波長割当用1xN2 WSS１０４の設定を行うことで、他の光パス信号に影響を与えることなく光パスの設定、及び、削除を行うことができる。又、本光パス方法によると、ヒットレス機能実現の為に新たな部品は必要無く低コストで光ノードが実現できる利点がある。
【００５７】
また、波長割当用1xN2 WSS１０４の設定の前に、波長割当用1xN2 WSS１０４の入力において、光パス信号が無いことを確認する手順を設けることにより、方路切替用1xN1 WSS１０２の故障等、誤って波長割当用1xN2 WSS１０４に光パス信号が入力されている場合でも、波長割当用1xN2 WSS１０４の設定を行い、他の光パス信号に影響を与えることを未然に防ぐことができる。
【００５８】
(実施例２) 
次に、実施例２について説明する。図６は、実施例２で用いる光ノード２００の構成を示す。光ノード２００は、図３と同じ方路数Mのカラーレス機能を有する光ノードであるが、波長割当用1xN2 WSS１０４の入力における光パス信号の有無を確認する手段が異なっている。図６では、OCM１０７の代わりに、波長割当用1xN2 WSS１０４の出力ポートの一つにPD１０８等のパワーを測定する手段が接続されている。この構成において、目的とする光パスの設定を行う前に、光パス信号を分岐していない波長についてはPD１０８が接続されている出力ポートに接続する設定にしておき、PD１０８で光信号を受信していないことを確認することで、波長割当用1xN2 WSS１０４の入力に、該当する光パス信号が入力されていないことを確認する。
【００５９】
図６の構成を用いる場合においては、受信ノードにおける光パス開通、削除時の手順が図３に示す構成を用いる場合の手順と一部異なる。
【００６０】
光パス設定時の受信ノードでの手順を図７に示す。光パス信号が設定されていない状態では、該当の波長は、波長割当用1xN2 WSS１０４においてPD１０８に繋がっているポートに接続されている。この為、受信ノードでは以下の手順が行われる。
【００６１】
ステップ６）（受信ノード）PD１０８において光パワーが無いことを確認する。これが確認されれば、波長割当用1xN2 WSS１０４に光パス信号が入力されていないことと等価である。その次の手順は、図４のステップ７以降と同一である。
【００６２】
ステップ７）（受信ノード）波長割当用1xN2 WSS １０４のDrop 設定を行う。ここでは、該当の波長が既にPD１０８向けポートに設定されているので、当該波長をPD１０８向けポートから、目的とするトランスポンダ１０６向けポートへ切替える設定を行う。
【００６３】
ステップ８）（受信ノード）方路切替用1xN1 WSS１０２のDrop 設定を行う。
【００６４】
ステップ９）（受信ノード）トランスポンダ１０６の受光確認を行う。
【００６５】
図８に、光パス削除手順を示す。
【００６６】
ステップ１）（受信ノード）図５のステップ１と同様にして、方路切替用1xN1 WSS１０２のDrop 設定削除を行う。
【００６７】
ステップ２）（受信ノード）  本例では、OCM１０７が無いため、波長割当用1xN2 WSS１０４ への入力信号の有無の確認としてトランスポンダ１０６において光信号を受信していないことを確認する。
【００６８】
ステップ３）（受信ノード）波長割当用1xN2 WSS １０４においてDrop 設定削除を行うが、本例では、光パスを設定していない状態では、分岐しない波長を、PD１０８に繋がるポートに接続することとしている為、ここでの設定は、該当波長の接続を、トランスポンダ１０６向けポートからPD１０８向けポートへ切替える設定となる。
【００６９】
以上の手順により、光パス設定、光パス削除を行うことで、OCM１０７を使うことなく、PD１０８のみの安価なデバイスにより、光パス信号の有無を確認することができる。つまり、OCM１０７を使うことなく、図６の構成にして図７、８の手順で光パス設定、削除を行うことにより、方路切替用1xN1 WSS１０２の故障等、誤って波長割当用1xN2 WSS１０４に光パス信号が入力されている場合でも、波長割当用1xN2 WSS１０４の設定を行い、他の光パス信号に影響を与えることを未然に防ぐ効果を奏する。  
（実施例３）
次に、実施例３について説明する。図９は、実施例３等で用いる光ノード３００の構成を示す。図９は、方路数Mのカラーレス機能を有する光ノード構成で、図３とは別の構成を示している。図９の示す構成は、図３における方路切替用1 x N1 WSS１０２の代わりに光分流器３０１を用いている点が図３と異なっている。また、この構成の場合、方路切替用 N1 x 1 WSS１０３を用いる必要があり、光合流器に代用することはできない。尚、ここで、光分流器、光合波器としては一般的に光カプラが用いられる。また、図１０に、図９の構成における方路数Ｍを２とした光ノード３００の構成を示す。  
実施例３における光パス開通手順を図１１に示す。尚、この光パス開通手順は、図９、図１０の構成に限らず、図３の構成にも適用できる。図１１中、図３の構成のみに存在し、図９、図１０の構成に存在しない手順については、点線の枠で囲んでいる。また、図１１の手順において、波長割当用 N2 x 1 WSS１０５の代わりに光合波器を用いている場合はステップ２を省略できる。
【００７０】
これまでに説明したように、光パス開通時の設定の際、基本的には安定性の為上流側のデバイスから設定を行う。具体的には次のとおりである。
【００７１】
ステップ１）（送信ノード）トランスポンダ１０６を発光させる。
【００７２】
ステップ２）（送信ノード）波長割当用 N2x1 WSS１０５のAdd設定を行う。
【００７３】
ステップ３）（送信ノード）方路切替用N1 x 1 WSS１０３のAdd設定を行う。
【００７４】
ステップ４）（図３の構成の中継ノード）方路切替用1 x N1 WSS１０２のスルー設定を行う。
【００７５】
ステップ５）（図３の構成の受信ノード）方路切替用1xN1 WSS１０２のDrop設定を行う。
【００７６】
ステップ６）（受信ノード）波長割当用1xN2 WSS１０４の入力に光パス信号が無いことを確認する。
【００７７】
ステップ７）（受信ノード）ステップ６において、該当する波長の光パス信号が無ければ、波長割当用1xN2 WSS１０４のDrop設定を行う。
【００７８】
ステップ８）（中継ノード）方路切替用N1 x 1 WSS１０３のスルー設定を行う。ただし、ステップ８で方路切替用N1 x 1 WSS１０３のスルー設定を行う中継ノードは、受信ノードの１つ手前の中継ノードである。
【００７９】
ステップ９）（受信ノード）トランスポンダ１０６において光を受信しているか否かを確認する。
【００８０】
上記のように、受信ノードより１つ手前の中継ノードでの方路切替用 N1x1 WSS１０３の設定のみ、ステップ７で受信ノードの波長割当用1xN2 WSS１０４を設定した後に行う。このように設定を行うことで、波長割当用 1xN2  WSS１０４は光パス信号が入力されていない状態で光パスを設定することができ、ヒットレス機能が無くても他の光パス信号に対して影響を及ぼさずに光パス設定を行うことができる。また、ステップ６において波長割当用1xN2 WSS１０４の入力に光パス信号が無いことをOCM１０７等で確認した後、ステップ７で受信ノードの波長割当用1xN2 WSS１０４の設定を行うことで、万が一、何らかの要因により波長割当用 1xN2 WSS１０４に光パス信号が入力されていたとしても、誤って光パス設定を行い他の光パス信号に影響を与えることを防ぐことができる。
【００８１】
ここで、WSSの負帰還制御の安定性について説明する。本手順において下流側のWSSの設定の後に上流側のWSS を設定しているが、設定する上流側のWSSの下流にあるWSSは１台だけのため出力レベル調整の負帰還制御の不安定動作が発生しにくく、本手順は、負帰還制御の安定性にも優れている手順である。
【００８２】
次に、図１２を参照して実施例３における光パス削除の手順を説明する。
【００８３】
ステップ１）（中継ノード）方路切替用N1 x 1 WSS１０３のスルー設定削除を行う。ただし、ステップ１で方路切替用N1 x 1 WSS１０３のスルー設定削除を行う中継ノードは、受信ノードの１つ手前の中継ノードである。
【００８４】
ステップ２）（受信ノード）波長割当用1xN2 WSS１０４の入力に光パス信号が無いことを確認する。
【００８５】
ステップ３）（受信ノード）ステップ２で該当する光パス信号が無ければ、波長割当用1xN2 WSS１０４のDrop 設定削除を行う。
【００８６】
ステップ４）（図３の構成の受信ノード）方路切替用1xN1 WSS１０２のDrop設定削除を行う。
【００８７】
ステップ５）（図３の構成の中継ノード）方路切替用1 x N1 WSS１０２のスルー設定削除を行う。
【００８８】
ステップ６）（送信ノード）方路切替用N1 x 1 WSS１０３のAdd設定削除を行う。
【００８９】
ステップ７）（送信ノード）波長割当用 N2x1 WSS１０５のAdd設定削除を行う。
【００９０】
ステップ８）（送信ノード）トランスポンダ１０６を消光する。
【００９１】
上記のように、本実施例でも、基本的には安定性の為下流側のデバイスから設定を行うが、受信ノードにおけるステップ３の波長割当用1xN2 WSS -Drop 設定の削除を行う前に、受信ノードより１つ手前のノードにおいて方路切替用N1x1 WSS -Thru 設定を削除する（ステップ１）こととしている。このように削除設定を行うことで、波長割当用 1xN2 WSS１０４の光パス設定削除時に光パス信号が入力されていない状態で設定することができ、ヒットレス機能がなくても他の光パス信号への影響を及ぼさず光パス削除を行うことができる。また、ステップ３の波長割当用1xN2 WSS -Drop 設定の削除を行う前に、ステップ２において波長割当用1xN2 WSS１０４の入力に光パス信号が無いことをOCM１０７等で確認することにより、万が一、何らかの要因により波長割当用 1xN2 WSS１０４に光パス信号が入力されていたとしても、誤って光パス設定削除を行い他の光パス信号に影響を与えることを防ぐことができる。
【００９２】
ここで、WSSの負帰還制御の安定性について説明する。本手順において上流側のWSSの設定削除の後に上流側のWSS の設定削除を行っているが、設定削除する上流側のWSSの下流にあるWSSは１台だけのため出力レベル調整の負帰還制御の不安定動作が発生しにくく、本手順は、負帰還制御の安定性にも優れている手順である。
【００９３】
以上のように、図３、図９、図１０のノード構成において、図１１、図１２のパス開通手順、パス削除手順を行うことにより、他の光パス信号に影響を与えることなく光パスの設定、及び、削除を行うことができる。また、本方法によると、ヒットレス機能実現の為に新たな部品は必要無く低コストで光ノードが実現できる利点がある。  
（実施例４）
次に、実施例４として、図３、図９、図１０の構成において、実施例３とは異なるパス開通手順、パス削除手順を説明する。
まず、図１３を参照して、実施例４におけるパス開通手順を説明する。図１３中、図３の構成のみに存在し、図９、図１０の構成に存在しない手順については、点線の枠で囲んでいる。また、図１３の手順において、波長割当用 N2 x 1 WSS１０５の代わりに光合波器を用いている場合はステップ２を省略できる。
【００９４】
ステップ１）（送信ノード）トランスポンダ１０６を発光させる。
【００９５】
ステップ２）（送信ノード）波長割当用 N2x1 WSS１０５のAdd設定を行う。
【００９６】
ステップ３）（送信ノード）方路切替用N1 x 1 WSS１０３のAdd設定を行う。
【００９７】
ステップ４）（図３の構成の中継ノード）方路切替用1 x N1 WSS１０２のスルー設定を行う。
【００９８】
ステップ５）（中継ノード）方路切替用N1 x 1 WSS１０３のスルー設定を行う。
【００９９】
ステップ６）（図３の構成の受信ノード）方路切替用1xN1 WSS１０２のDrop設定を行う。また、受信ノードは、設定光パスのシャットダウン要求を中継ノードに送信する。この中継ノードは、受信ノードの１つ手前の中継ノードである。なお、シャットダウン設定やシャットダウン設定解除に関わる制御信号は、NW管理制御装置から送信することとしてもよい。
【０１００】
ステップ７）（中継ノード）シャットダウン要求を受信した中継ノードでは、光パス信号を下流に送出しないように、シャットダウン設定を行う。
【０１０１】
ステップ８）（受信ノード）波長割当用1xN2 WSS１０４の入力に光パス信号が無いことを確認する。
【０１０２】
ステップ９）（受信ノード）ステップ８において、該当する波長の光パス信号が無ければ、波長割当用1xN2 WSS１０４のDrop設定を行う。また、受信ノードは、シャットダウン設定を行った中継ノードに対してシャットダウン解除要求を送信する。
【０１０３】
ステップ１０）（中継ノード）シャットダウン解除要求を受信した中継ノードは、シャットダウン解除を行い、光パス信号を下流に送出する。
【０１０４】
ステップ１１）（受信ノード）トランスポンダ１０６において光を受信しているか否かを確認する。
図１３の手順でも、基本的には安定性の為上流側のデバイスから設定を行うが、ステップ９で受信ノードの波長割当用1xN2 WSS１０４を設定する前に、受信ノードから１つ手前の中継ノードに制御信号を送信して、１つ手前の中継ノードの方路切替用N1x1 WSS１０３をシャットダウン状態（信号切断状態）にする設定を行う。このように設定を行うことで、波長割当用1xN2 WSS１０４は光パス信号が入力されていない状態で光パスを設定することができ、ヒットレス機能が無くても他の光パス信号に対して影響を及ぼさずに光パス設定を行うことができる。波長割当用1xN2 WSS の設定が終わった後は、再度上流ノードに制御信号を送り、方路切替用 N1x1 WSS１０３のシャットダウンを解除する。尚、本方法に加えて、ステップ８で波長割当用1xN2 WSS１０４の入力に光パス信号が無いことをOCM１０７等で確認した後、ステップ９で受信ノードの波長割当用1xN2 WSS１０４の設定を行うことで、万が一、何らかの要因により波長割当用 1xN2 WSS１０４に光パス信号が入力されていたとしても、誤って光パス設定を行い他の光パス信号に影響を与えることを防ぐことができる。
ここで、WSSの負帰還制御の安定性について説明する。本手順において下流側のWSSの設定の後に上流側のWSS を設定しているが、設定する上流側のWSSの下流にあるWSSは１台だけのため出力レベル調整の負帰還制御の不安定動作が発生しにくく、本手順は、負帰還制御の安定性にも優れている手順である。
【０１０５】
次に、図１４を参照して実施例４における光パス削除の手順を説明する。
【０１０６】
ステップ１）（中継ノード）まず、受信ノードから１つ手前の中継ノードにおいて、光パス信号のシャットダウン設定を行う。
【０１０７】
ステップ２）（受信ノード）波長割当用1xN2 WSS１０４の入力に光パス信号が無いことを確認する。
【０１０８】
ステップ３）（受信ノード）ステップ２で該当する光パス信号が無ければ、波長割当用1xN2 WSS１０４のDrop 設定削除を行う。
【０１０９】
ステップ４）（図３の構成の受信ノード）方路切替用1xN1 WSS１０２のDrop設定削除を行う。
【０１１０】
ステップ５）（中継ノード）方路切替用N1 x 1 WSS１０３のスルー設定削除を行う。
【０１１１】
ステップ６）（図３の構成の中継ノード）方路切替用1 x N1 WSS１０２のスルー設定削除を行う。
【０１１２】
ステップ７）（送信ノード）方路切替用N1 x 1 WSS１０３のAdd設定削除を行う。
【０１１３】
ステップ８）（送信ノード）波長割当用 N2x1 WSS１０５のAdd設定削除を行う。
【０１１４】
ステップ９）（送信ノード）トランスポンダ１０６を消光する。
【０１１５】
実施例４でも、基本的には安定性の為下流側のデバイスから設定を行うが、受信ノードにおけるステップ３での波長割当用1xN2 WSS -Drop 設定の削除を行う前に、受信ノードより１つ手前の中継ノードに制御信号を送り、中継ノードの方路切替用N1x1 WSS １０３をシャットダウン状態に変更するように制御を行う。このように削除設定を行うことで、波長割当用1xN2 WSS１０４の光パス設定削除時に光パス信号が入力されていない状態で設定をすることができ、ヒットレス機能がなくても他の光パス信号への影響を及ぼさず光パス削除を行うことができる。また、ステップ３で波長割当用1xN2 WSS -Drop 設定の削除を行う前に、ステップ２で波長割当用1xN2 WSS１０４の入力に光パス信号が無いことをOCM１０７等で確認することにより、万が一、何らかの要因により波長割当用 1xN2 WSS１０４に光パス信号が入力されていたとしても、誤って光パス設定削除を行い他の光パス信号に影響を与えることを防ぐことができる。
【０１１６】
ここで、WSSの負帰還制御の安定性について説明する。本手順においても上流側のWSSの設定削除の後に上流側のWSS の設定削除を行っているが、設定削除する上流側のWSSの下流にあるWSSは１台だけのため出力レベル調整の負帰還制御の不安定動作が発生しにくく、本手順は、負帰還制御の安定性にも優れている手順である。
【０１１７】
以上のように、図３、図９、図１０のノード構成において、図１３、図１４のパス開通手順、パス削除手順を行うことにより、他の光パス信号に影響を与えることなく光パスの設定、及び、削除を行うことができる。又、図１１、 図１２のパス開通手順、パス削除手順と比較すると、本方法では、NW管理制御装置からは、光パス開通時には上流側のノードから、光パス削除時には下流側のノードから順番に設定することになる為、NW管理制御装置に複雑な手順を必要としない特徴がある。
【０１１８】
（実施例５）
次に、図３、図９、図１０の構成において、実施例３、４とは異なるパス開通手順、パス削除手順を実施例５として説明する。
図１５を参照して、実施例５における光パス開通手順を説明する。図１５中、図３の構成のみに存在し、図９、図１０の構成に存在しない手順については、点線の枠で囲んでいる。また、図１１の手順において、波長割当用 N2 x 1 WSS１０５の代わりに光合波器を用いている場合はステップ４を省略できる。
【０１１９】
ステップ１）（受信ノード）波長割当用1xN2 WSS１０４の入力に光パス信号が無いことを確認する。
【０１２０】
ステップ２）（受信ノード）ステップ１において、該当する波長の光パス信号が無ければ、波長割当用1xN2 WSS１０４のDrop設定を行う。
【０１２１】
ステップ３）（送信ノード）トランスポンダ１０６を発光させる。
【０１２２】
ステップ４）（送信ノード）波長割当用 N2x1 WSS１０５のAdd設定を行う。
【０１２３】
ステップ５）（送信ノード）方路切替用N1 x 1 WSS１０３のAdd設定を行う。
【０１２４】
ステップ６）（図３の構成の中継ノード）方路切替用1 x N1 WSS１０２のスルー設定を行う。
【０１２５】
ステップ７）（中継ノード）方路切替用N1 x 1 WSS１０３のスルー設定を行う。
【０１２６】
ステップ８）（図３の構成の受信ノード）方路切替用1xN1 WSS１０２のDrop設定を行う。
【０１２７】
ステップ９）（受信ノード）トランスポンダ１０６において光を受信しているか否かを確認する。
図１５の手順でも、基本的には安定性の為上流側のデバイスから設定を行うが、全ての手順の最初にステップ２として受信ノードの波長割当用1xN2 WSS１０４の設定を行うことが特徴である。このように設定を行うことで、波長割当用 1xN2 WS１０４は光パス信号が入力されていない状態で光パスを設定することができ、ヒットレス機能が無くても他の光パス信号に対して影響を及ぼさずに光パス設定を行うことができる。尚、本方法に加えてステップ１で波長割当用1xN2 WSS１０４の入力に光パス信号が無いことをOCM１０７等で確認した後、ステップ２で受信ノードの波長割当用1xN2 WSS１０４の設定を行うことで、万が一、何らかの要因により波長割当用 1xN2 WSS１０４に光パス信号が入力されていたとしても、誤って光パス設定を行い他の光パス信号に影響を与えることを防ぐことができる。
ここで、WSSの負帰還制御の安定性について説明する。本手順においても、下流側のWSSの設定の後に上流側のWSS を設定しているが、設定する上流側のWSSの下流にあるWSSは１台だけのため出力レベル調整の負帰還制御の不安定動作が発生しにくく、本手順は、負帰還制御の安定性にも優れている手順である。
【０１２８】
次に、図１６を参照して実施例５における光パス削除の手順を説明する。
【０１２９】
ステップ１）（図３の構成の受信ノード）方路切替用1xN1 WSS１０２のDrop設定削除を行う。
【０１３０】
ステップ２）（中継ノード）方路切替用N1 x 1 WSS１０３のスルー設定削除を行う。
【０１３１】
ステップ３）（図３の構成の中継ノード）方路切替用1 x N1 WSS１０２のスルー設定削除を行う。
【０１３２】
ステップ４）（送信ノード）方路切替用N1 x 1 WSS１０３のAdd設定削除を行う。
【０１３３】
ステップ５）（送信ノード）波長割当用 N2x1 WSS１０５のAdd設定削除を行う。
【０１３４】
ステップ６）（送信ノード）トランスポンダ１０６を消光する。
【０１３５】
ステップ７）（受信ノード）波長割当用1xN2 WSS１０４の入力に光パス信号が無いことを確認する。
ステップ８）（受信ノード）ステップ７で該当する光パス信号が無ければ、波長割当用1xN2 WSS１０４のDrop 設定削除を行う。
【０１３６】
ここでも、基本的には安定性の為下流側のデバイスから設定を行うが、ステップ８での受信ノードにおける波長割当用1xN2 WSS -Drop 設定の削除を、全ての最後に行う点が特徴である。このように削除設定を行うことで、波長割当用 1xN2 WSS１０４の光パス設定削除時に光パス信号が入力されていない状態で設定することができ、ヒットレス機能がなくても他の光パス信号への影響を及ぼさず光パス削除を行うことができる。また、ステップ８の波長割当用1xN2 WSS -Drop 設定の削除を行う前に、ステップ７で波長割当用1xN2 WSS１０４の入力に光パス信号が無いことをOCM１０７等で確認することにより、万が一、何らかの要因により波長割当用 1xN2 WSS１０４に光パス信号が入力されていたとしても、誤って光パス設定削除を行い他の光パス信号に影響を与えることを防ぐことができる。
【０１３７】
ここで、WSSの負帰還制御の安定性について説明する。本手順においても上流側のWSSの設定削除の後に上流側のWSS の設定削除を行っているが、設定削除する上流側のWSSの下流にあるWSSは１台だけのため出力レベル調整の負帰還制御の不安定動作が発生しにくく、本手順は、負帰還制御の安定性にも優れている手順である。
【０１３８】
以上のように、図３、図９、図１０のノード構成において、図１５、図１６のパス開通手順、パス削除手順を行うことにより、他の光パス信号に影響を与えることなく光パスの設定、及び、削除を行うことができる。
【０１３９】
(実施例6) 
次に、実施例６について説明する。図１７は、実施例６で用いる光ノード４００の構成を示す。また、図１８は、図１７の光ノード４００において、Ｍを２とした例である。
【０１４０】
図１７は図９と同じ方路数Mのカラーレス機能を有する光ノード構成を示しているが、波長割当用1xN2 WSS１０４の入力における光パス信号の有無を確認する手段が異なっている。図１７では、図９のOCM１０７の代わりに、波長割当用1xN2 WSS１０４の出力ポートの一つにPD１０８等のパワーを測定する手段が接続されている。そして、このパス設定を行っていない状態とPD１０８に繋がるポートへの接続の状態との切替では、他のポートに信号が漏れない組み合わせで選択する。例えば、パス設定を行っていない状態はPＤ１０８に繋がるポートの隣接したポートに接続する方法がある。そして、波長割当用1xN2 WSS１０４への光パス信号の入力の有無を確認する際には、該当する波長をPD１０８が接続されている出力ポートに接続して、PD１０８において光信号の有無を確認することにより波長割当用 1xN2 WSS への光パス信号の入力の有無の確認が可能となる。
【０１４１】
図１７、１８の構成を用いる場合においては、受信ノードにおける光パス開通、削除時の手順が図３、図９、図１０に示す構成を用いる場合の手順と一部異なる。
【０１４２】
図１９は、パス設定時に、受信ノードにおいて波長割当用1xN2 WSS１０４への光パス信号の入力有無の確認手順を示す図である。
【０１４３】
ステップ１）（受信ノード）波長割当用1xN2 WSS１０４において、該当する波長をPD１０８が接続されている出力ポートに接続する設定を行う。
【０１４４】
ステップ２）（受信ノード）PD１０８において光信号のパワーは無いことを確認する。
【０１４５】
ステップ３）（受信ノード）波長割当用 1xN2 WSS １０４のDrop設定を行う。
【０１４６】
パス設定時においては、図１１、図１３、 図１５の手順F、Gの代わりに、図１９における手順J、F、Gとなる。
【０１４７】
図２０は、パス削除時の手順を示す図である。
【０１４８】
ステップ１）（受信ノード）トランスポンダ１０６において光信号を受信していないことを確認する。
【０１４９】
ステップ２）（受信ノード）波長割当用 1xN2 WSS １０４のDrop設定削除を行う。
【０１５０】
パス削除時において、図１２、図１４、 図１６の手順B、Cの代わりに、図２０における手順B、Cに変更となる。
【０１５１】
以上のようにして光パス設定、光パス削除を行うことで、OCM１０７を使うことなく、PD１０８のみの安価なデバイスにより、光パス信号の有無を確認することができる。つまり、OCM１０７を使うことなく、図１７、図１８の構成にして図１９、２０の手順で光パス設定、削除を行うことにより、何らかの故障要因により誤って波長割当用1xN2 WSS１０４に光パス信号が入力されている場合でも、波長割当用1xN2 WSS１０４の設定を行い、他の光パス信号に影響を与えることを未然に防ぐ効果を奏する。  
(実施例７)
次に、実施例７について説明する。図２１は、実施例７で用いる方路数Mの光ノード５００の構成を示す。
【０１５２】
図２１に示すように、光ノード５００は、方路切替用1xN3 WSS５０１と方路切替用 N3x1 WSS５０２により構成されており、波長割当用1xN2 WSS１０４が無い構成である。尚、方路切替用N3x1 WSS５０２の代わりに光カプラ等の光合流器でも良い。ここで、N3の値を大きくすることにより、方路数を増やすことも、カラーレス機能を持った分岐挿入ポートを増やすこともできる。尚、本実施例では、この構成において、方路切替用1xN3 WSS５０１にヒットレス機能の無いWSSを用いる。
【０１５３】
図２１のノード構成の場合の光パス開通手順の例を図２２に示す。ただし、図２２は方路切替用N3x1 WSS５０１を用いず光合流器を用いている場合の光パス設定手順例である。本実施例では、光パスを設定するフォトニックNW上の全ての中継ノードにおいて方路切替用 1xN3 WSS５０１が存在するので、図２２の例では、中継ノードにおいて下流側から順に設定を行うことを示すために、２つの中継ノードが図示されている。
【０１５４】
ステップ１）（受信ノード）方路切替用1xN3 WSS５０１のDrop設定を行う。
【０１５５】
ステップ２）（中継ノード）方路切替用1xN3 WSS５０１のスルー設定を行う。
【０１５６】
ステップ３）（中継ノード）方路切替用1xN3 WSS５０１のスルー設定を行う。
【０１５７】
ステップ４）（送信ノード）トランスポンダ１０６を発光させる。
【０１５８】
ステップ５）（受信ノード）トランスポンダ１０６において光を受信しているか否かを確認する。
【０１５９】
図２１のノード構成における光パス設定手順においては、各ノードにおける方路切替用1xN3 WSS５０１の設定の後に、上流の方路切替用1xN3 WSS５０１、もしくは方路切替用N3x1 WSS５０２の設定（方路切替用N3x1 WSS５０２を用いる場合）、又は、トランスポンダ１０６の発光を行うようにする。このように設定を行うことで、各ノードにおける方路切替用 1xN3 WSS５０１は光パス信号が入力されていない状態で光パスを設定することができ、ヒットレス機能が無くても他の光パス信号に対して影響を及ぼさずに光パス設定を行うことができる。
【０１６０】
図２１のノード構成の場合の光パス削除手順の例を図２３を参照して説明する。
【０１６１】
ステップ１）（送信ノード）トランスポンダ１０６を消光する。
【０１６２】
ステップ２）（中継ノード）方路切替用1xN3 WSS５０１のスルー設定削除を行う。
【０１６３】
ステップ３）（中継ノード）方路切替用1xN3 WSS５０１のスルー設定削除を行う。
【０１６４】
ステップ４）（受信ノード）方路切替用1xN3 WSS５０１のDrop設定削除を行う。
【０１６５】
光パス削除手順においては、各ノードにおける方路切替用1xN3 WSS５０１の設定の前に、上流の方路切替用1xN3 WSS５０１もしくは方路切替用N3x1 WSS５０２の設定削除、又は、トランスポンダ１０６の消光を行うようにする。このように設定削除を行うことで、各ノードにおいて、方路切替用 1xN3 WSS ５０１の光パス設定削除時に光パス信号が入力されていない状態で設定をすることができ、ヒットレス機能がなくても他の光パス信号への影響を及ぼさず光パス削除を行うことができる。
【０１６６】
なお、実施例７においても、実施例５、６と同様にして、光パス信号の有無を確認してから、方路切替用1xN3 WSS５０１の設定を行うことができる。すなわち、図２１に示した構成において、方路切替用1xN3 WSS５０１の設定を行う前に、当該方路切替用1xN3 WSS５０１の入力における光パス信号の有無をOCM１０７を用いて確認し、当該OCM１０７において光パス信号がないことを確認した後に、方路切替用1xN3 WSS５０１の設定を行う。
【０１６７】
また、図２１のようにOCM１０７を接続する代わりに、図２４に示すように、各方路切替用1xN3 WSS５０１の出力ポートの１つに光パワーを測定するPD１０８を接続した構成を採用してもよく、この場合は、方路切替用1xN3 WSS５０１の設定を行う前に、設定対象である光パス信号の波長の接続先を、PD１０８に接続されている出力ポートに設定して、当該PD１０８により光パス信号が無いことを確認した後、方路切替用1xN3 WSS５０１の設定を行う。
【０１６８】
また、図２１と図２４のいずれの場合においても、光パスの削除時においては、方路切替用1xN3 WSSの設定を行う前に、受信光ノードのトランスポンダ１０６において光パス信号が無いことを確認した後、方路切替用1xN3 WSS５０１の設定を行う。
【０１６９】
上記のようにして、光パス信号の有無をＯＣＭ１０７、ＰＤ１０８、トランスポンダ１０６で確認することにより、万が一、何らかの原因により方路切替用1xN3 WSS５０１に光パス信号が入力されていたとしても、誤って光パス設定・光パス設定削除を行い他の光パス信号に影響を与えることを防ぐことができる。
【産業上の利用可能性】
【０１７０】
本発明は、複数のROADMノードにより構成されるフォトニックネットワークにおける光パス設定に適用できる。
【０１７１】
本発明は、上記の実施の形態に限定されることなく、特許請求の範囲内において、種々変更・応用が可能である。
【符号の説明】
【０１７２】
１  光アンプ
２  トランスポンダ
３  光カプラ
４  1x9 WSS
５  9x1 WSS
１０  Multi-degree ROADMノード
１００、２００、３００、４００、５００、６００  光ノード
１０１  光アンプ
１０２  方路切替用1 x N1 WSS
１０３  方路切替用 N1 x 1 WSS
１０４  波長割当用1xN2 WSS
１０５  波長割当用N2 x 1 WSS
１０６  トランスポンダ１０６
１０７  OCM（Optical Channel Monitor）
１０８  PD
３０１  光分流器
５０１  方路切替用1xN3 WSS
５０２  方路切替用 N3x1 WSS
【図１】
0005523205.tif 000002
【図２】
0005523205.tif 000003
【図３】
0005523205.tif 000004
【図４】
0005523205.tif 000005
【図５】
0005523205.tif 000006
【図６】
0005523205.tif 000007
【図７】
0005523205.tif 000008
【図８】
0005523205.tif 000009
【図９】
0005523205.tif 000010
【図１０】
0005523205.tif 000011
【図１１】
0005523205.tif 000012
【図１２】
0005523205.tif 000013
【図１３】
0005523205.tif 000014
【図１４】
0005523205.tif 000015
【図１５】
0005523205.tif 000016
【図１６】
0005523205.tif 000017
【図１７】
0005523205.tif 000018
【図１８】
0005523205.tif 000019
【図１９】
0005523205.tif 000020
【図２０】
0005523205.tif 000021
【図２１】
0005523205.tif 000022
【図２２】
0005523205.tif 000023
【図２３】
0005523205.tif 000024
【図２４】
0005523205.tif 000025